(57)【要約】【課題】火災発生時に円滑な消火活動や救出活動を可能にするエレベータ制御装置、エレベータ、及びエレベータの制御方法を提供する。【解決手段】乗客を乗せるカゴ室と、錘と、カゴ室及び錘を吊りあげるロープと、ロープを巻き上げる巻き上げ機と、カゴ室が昇降する昇降路と、乗り場側ドアと、乗り場に設置される乗り場呼びボタンと、カゴ室内に設置され、無効化する乗り場呼びボタンを指示する指示装置と、指示装置の指示に基づいて乗り場呼びボタンを無効化する制御部と、を備える。【選択図】図３
2012180200.tif 000002
【特許請求の範囲】
【請求項１】
乗り場に設置される乗り場呼びボタンと、
カゴ室内に設置され、無効化する前記乗り場呼びボタンを指示する指示装置と、
前記指示装置の指示に基づいて乗り場呼びボタンを無効化する制御部と、
を備えるエレベータ制御装置。
【請求項２】
前記指示装置はカゴ室内行き先ボタンである請求項１記載のエレベータ制御装置。
【請求項３】
前記制御部は、
外部装置から入力した火災に関する情報を前記カゴ室内行き先ボタンによって表示する請求項２記載のエレベータ制御装置。
【請求項４】
前記制御部は、
前記火災に関する情報を記載した電子メールを消防士が有するモバイル機器に送信する請求項３記載のエレベータ制御装置。
【請求項５】
カゴ室と、
錘と、
前記カゴ室及び前記錘を吊りあげるロープと、
前記ロープを巻き上げる巻き上げ機と、
前記カゴ室が昇降する昇降路と、
乗り場側ドアと、
乗り場に設置される乗り場呼びボタンと、
カゴ室内に設置され、無効化する前記乗り場呼びボタンを指示する指示装置と、
前記指示装置の指示に基づいて乗り場呼びボタンを無効化する制御部と、
を備えるエレベータ。
【請求項６】
前記指示装置はカゴ室内行き先ボタンである請求項５記載のエレベータ。
【請求項７】
前記制御部は、
外部装置から入力した火災に関する情報を前記カゴ室内行き先ボタンによって表示する請求項６記載のエレベータ。
【請求項８】
前記制御部は、
前記火災に関する情報を記載した電子メールを消防士が有するモバイル機器に送信する請求項７記載のエレベータ。
【請求項９】
カゴ室内に設置される指示装置から無効化する呼びボタンの階を指定し、
前記指定された階の呼びボタンを無効化するエレベータ制御方法。
【請求項１０】
前記指示装置はカゴ室内行き先ボタンである請求項９記載のエレベータ制御方法。
【請求項１１】
前記カゴ室内行き先ボタンにより操作許可可能かをパスワード認証する請求項１０記載のエレベータ制御方法。
【発明の詳細な説明】
【技術分野】
【０００１】
本発明の実施形態は、エレベータ制御装置、エレベータ及びエレベータの制御方法に関する。
【背景技術】
【０００２】
火災が発生した場合、エレベータの運行を乗客の自由に任せると火災発生階にカゴ室が運行することにより昇降路への煙の侵入、延焼、あるいはカゴ室の損傷が発生する。また、カゴ室内の消防士に危険が及ぶ可能性もある。従って、カゴ室の運行を制御する必要がある。
【０００３】
この点に関し、カゴ室の運行を火災発生階の所定階以下に限定する技術が提案されている。
【先行技術文献】
【特許文献】
【０００４】
【特許文献１】特開２００５−８２２９３号公報
【発明の概要】
【発明が解決しようとする課題】
【０００５】
しかし、この技術によればカゴ室は乗客の自由に任せられており、呼びボタンの押下の濫用により円滑な消火活動や救出活動に支障が出る場合が考えられる。
【０００６】
従って、本実施形態は火災発生時に円滑な消火活動や救出活動を可能にするエレベータ制御装置、エレベータ、及びエレベータの制御方法を提供することを目的とする。
【課題を解決するための手段】
【０００７】
上記の課題を解決するために、一実施形態は錘と、カゴ室及び錘を吊りあげるロープと、ロープを巻き上げる巻き上げ機と、カゴ室が昇降する昇降路と、乗り場側ドアと、乗り場に設置される乗り場呼びボタンと、カゴ室内に設置され、無効化する乗り場呼びボタンを指示する指示装置と、指示装置の指示に基づいて乗り場呼びボタンを無効化する制御部と、を備えるエレベータを提供する。
【図面の簡単な説明】
【０００８】
【図１】エレベータの側面図である。
【図２】エレベータ制御装置を有するエレベータの構成を示すブロック図である。
【図３】エレベータの制御方法を示すフローチャートである。
【発明を実施するための形態】
【０００９】
以下、エレベータ制御装置、エレベータ、及びエレベータの制御方法の一実施形態について、図面を用いて詳細に説明する。
【００１０】
本実施形態のエレベータの一実施形態はカゴ室と、錘と、カゴ室及び錘を吊りあげるロープと、ロープを巻き上げる巻き上げ機と、カゴ室が昇降する昇降路と、乗り場側ドアと、カゴ室内に設置される指示装置の指示に基づいて乗り場呼びボタンを無効化する制御部と、を備える。
【００１１】
図１は、本実施形態に係るエレベータ１００の側面図である。図１に示すように、エレベータ１００は、乗客を乗せるカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗り場側ドア１０４と、乗り場側ドア１０４の下方に設置されるステップ部１０５と、エレベータの運行を制御し、カゴ室内の指示に基づいて乗り場呼びボタンを無効化する制御部１０７と、を備える。
【００１２】
カゴ室１０１は、カゴ室側ドア１０１Ａと、カゴ室側ドア１０１Ａの昇降路１１０側に設置される係合装置１０１Ｂと、を備える。
【００１３】
乗り場側ドア１０４は、昇降路１１０側に係合装置１０１Ｂと係合する突起部１０４Ａを備える。
【００１４】
制御部１０７は、指示された行き先階までカゴ室１０１を昇降させる。行き先階にカゴ室１０１が到着すると、係合装置１０１Ｂと突起部１０４Ａとが係合している状態となる。この状態にてカゴ室側ドア１０１Ａが開閉すると乗り場側ドア１０４が従動して開閉する。
【００１５】
図２は、エレベータ制御装置を有するエレベータ１００の構成を示すブロック図である。図２に示すように、エレベータ１００は、制御部であるＣＰＵ２０１と、記憶装置であるメモリ２０２と、を備える。ＣＰＵ２０１は、各階の乗り場に設置される乗り場呼びボタン２０４及びカゴ室１０１内に設置される指示装置としてのカゴ室内行き先ボタン２０５からの指示に従って、巻き上げ機１０２を制御する。
【００１６】
また、ＣＰＵ２０１は、各階の乗り場に設置される乗り場表示装置２０６及びカゴ室１０１内に設置されるカゴ室内表示装置２０７に随時情報を表示する。
【００１７】
エレベータ１００は、外部機器と通信するための通信インターフェース（Ｉ／Ｆ）２０３を備える。エレベータ１００はＩ／Ｆ２０３によりインターネットなどの公衆通信回線網３０１を介してメールサーバ３０２に接続する。
【００１８】
従って、エレベータ１００はインターネット経由にて消防士が有する携帯電話などのモバイル機器３０３にメールを送信することが可能である。
【００１９】
エレベータ１００はＩ／Ｆ２０３により火災の発生と火災発生階を特定する情報を送信する火災報知器３０４及びエレベータ１００の運行を遠隔監視する管制センタ制御部３０５に接続する。
【００２０】
エレベータ１００は、カゴ室１０１内又は乗り場にカードリーダ３０６を備えていてもよい。カードリーダ３０６はＲＦＩＤなどの無線タグや磁気カードを読み込むことができる。
【００２１】
エレベータ１００は、カードリーダ３０６によって読み込まれたカードがあらかじめ定められたＩＤを有するかを認証する。エレベータ１００は認証に成功した場合に所定の操作を許可するように構成することもできる。
【００２２】
従って、消防士がこのカードを持つことにより所定の操作を行うことが可能となる。
【００２３】
図３は、エレベータ１００の制御方法を示すフローチャートである。図３に示すように、動作４０１において、エレベータ１００は火災が発生したかを判定する。エレベータ１００は、例えば火災報知器３０４からの信号又は管制センタ制御部３０５からの信号から火災の発生を検知する。
【００２４】
エレベータ１００は、火災が発生したと判定した場合に動作４０２に進み、火災が発生したと判定しなかった場合に動作４０１に戻る。
【００２５】
動作４０２において、エレベータ１００は、例えば火災報知器３０４からの信号又は管制センタ制御部３０５からの信号から火災発生階を判定する。
【００２６】
動作４０３において、エレベータ１００はカゴ室１０１を安全な避難階である基準階に移動させ、ドアを開く。
【００２７】
動作４０４において、エレベータ１００は無効化の指示が入力されたかを判定する。ここで、無効化とはボタンを押下してもエレベータの運行の指示を行えなくすることをさす。具体的には、無効化の指示の入力は例えば次のような操作により行う。
【００２８】
（具体例１）
カゴ室１０１内に設置される閉戸ボタンを押しながら、乗り場呼びボタンを無効化したい階の行き先ボタンを所定回数連続して押下、又は所定時間継続して押下する。
【００２９】
（具体例２）
カゴ室１０１内に設置される閉戸ボタンを押しながら行き先階ボタンを使用してパスワードを入力する。制御部１０７はパスワードの認証に成功した場合、認証の成功をカゴ室内表示装置２０７に表示する。その後、無効にしたい階の行き先ボタンを所定回数連続して押下、又は所定時間継続して押下する。
【００３０】
（具体例３）
カードリーダ３０６にカードを読み込ませる。制御部１０７はカードの認証に成功した場合、認証の成功をカゴ室内表示装置２０７に表示する。その後、所定時間内に無効にしたい階の行き先ボタンを所定回数連続して押下、又は所定時間継続して押下する。
【００３１】
エレベータ１００は無効化の指示が入力されたと判定したとき、動作４０５に進み、入力されていないと判定したとき、動作４０４に戻る。
【００３２】
動作４０５において、エレベータ１００は乗り場呼びボタン２０４を無効化する。エレベータ１００は、入力された指示に従い、指定された階の呼びボタンだけ、あるいはすべての階の呼びボタンを無効化する。
【００３３】
動作４０６において、エレベータ１００は無効化した階の乗り場表示装置２０６に無効化した旨の表示を行う。表示とともに音声を流してもよい。
【００３４】
動作４０７において、エレベータ１００は火災発生階をカゴ室内表示装置２０７又はカゴ室内行き先ボタン２０５にて表示する。
【００３５】
動作４０８において、エレベータ１００は火災発生状況を記したメールを消防士の有するモバイル機器３０３に送信する。
【００３６】
動作４０９において、エレベータ１００は乗り場呼びボタン２０４を有効化する指示があるかを判定する。有効化とは無効化した乗り場呼びボタン２０４を再び使えるようにすることである。有効化の具体例は、上述した無効化の具体例を用いることができる。エレベータ１００は、乗り場呼びボタン２０４を有効化する指示があったと判定したとき、動作４１０に進み、ないと判定した場合、動作４０９に戻る。
【００３７】
以上のべたように、エレベータ１００の一実施形態はカゴ室１０１と、錘１０３と、カゴ室１０１及び錘１０３を吊りあげるロープ１０６と、ロープ１０６を巻き上げる巻き上げ機１０２と、カゴ室１０１が昇降する昇降路１１０と、乗り場側ドア１０４と、カゴ室内に設置される指示装置の指示に基づいて乗り場呼びボタンを無効化する制御部１０７と、を備える。
【００３８】
従って、本実施形態によれば、カゴ室１０１内から所望の階の呼びボタンを無効化することができるため、火災発生時に円滑な消火活動や救出活動を可能にするという効果がある。
【００３９】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００４０】
１０１：カゴ室
１０２：巻き上げ機
１０４：乗り場側ドア
１０５：ステップ部
１０７：制御部
【図１】
2012180200.tif 000003
【図２】
2012180200.tif 000004
【図３】
2012180200.tif 000005